(57)【要約】【課題】「加工の手間」の増大や「補強強度」の低下を招くことなく、タッカーによる「接合強度」を十分に確保できる、戸パネルを提供する。【解決手段】戸パネル１０は、２本の縦枠材１８を横枠材２０で接合することによって構成された戸枠１２と、戸枠１２に接合された板状の表面材１６とを備えている。縦枠材１８における横枠材２０と対向する側面には、縦方向へ延びる断面略四角形の溝２２が形成されており、溝２２内には、溝２２の底面２２ａに取り付けられた帯板状の固定板部２４と、固定板部２４の幅方向両端部に連続して断面略円弧状に形成された側壁板部２６とを有する棒状の補強材１４が収容されており、縦枠材１８と横枠材２０とは、戸枠１２の表面側または裏面側の少なくとも一方において補強材１４を跨ぐようにして打ち込まれたタッカー３２によって連結されている。【選択図】図２
2009084780.tif 000002
【特許請求の範囲】
【請求項１】
少なくとも２本の縦枠材を横枠材で接合することによって構成された戸枠と、前記戸枠に接合された板状の表面材とを備える、戸パネルにおいて、
前記縦枠材における前記横枠材と対向する側面には、縦方向へ延びる断面略四角形の溝が形成されており、
前記溝内には、前記溝の底面に取り付けられた帯板状の固定板部と、前記固定板部の幅方向両端部に連続して断面略円弧状に形成された側壁板部とを有する棒状の補強材が収容されており、
前記縦枠材と前記横枠材とは、前記戸枠の表面側または裏面側の少なくとも一方において前記補強材を跨ぐようにして打ち込まれたタッカーによって連結されていることを特徴とする、戸パネル。
【請求項２】
少なくとも２本の縦枠材を横枠材で接合することによって構成された戸枠と、前記戸枠に接合された板状の表面材とを備える、戸パネルにおいて、
前記縦枠材は、複数の棒状の縦枠構成材の側面どうしを接合することによって構成されており、互いに接合される２本の前記縦枠構成材のいずれか一方における他方側の側面には、縦方向へ延びる断面略四角形の溝が形成されており、
前記溝内には、前記溝の底面に取り付けられた帯板状の固定板部と、前記固定板部の幅方向両端部に連続して断面略円弧状に形成された側壁板部とを有する棒状の補強材が収容されており、
互いに接合される２本の前記縦枠構成材は、前記戸枠の表面側または裏面側の少なくとも一方において前記補強材を跨ぐようにして打ち込まれたタッカーによって連結されていることを特徴とする、戸パネル。
【発明の詳細な説明】
【技術分野】
【０００１】
本発明は、開き戸、折れ戸または引き戸等に用いられる戸パネルに関し、特に、縦枠材と横枠材とからなる戸枠と、戸枠に接合された板状の表面材とを備える戸パネルに関する。
【背景技術】
【０００２】
縦枠材と横枠材とからなる戸枠に板状の表面材を接合した構造は、「フラッシュ構造」として知られており、当該「フラッシュ構造」は、「容易に軽量化できること」や「狂いが少ないこと」から木質材料を用いた戸パネルにおいて幅広く採用されている。
【０００３】
しかし、木質材料を用いた戸パネルでは、気温や湿度の影響を受け易いため、「フラッシュ構造」を採用した場合でも、これらの影響による戸パネルの「反り」を完全に抑えることはできず、特に、寒冷期においては、戸パネルの両面間に生じる温度差または湿度差によって戸パネルの「反り」が大きくなり、戸パネルの機能に支障を来たすおそれがあった。たとえば、部屋の出入口に取り付けられた戸パネルにおいては、室内の暖房によって暖められる室内側の面と、外気等によって冷やされる室外側の面との間で温度差または湿度差が甚大となるため、戸パネルの「反り」が著しく大きくなり、戸パネルを開閉できなくなったり、戸パネルの周囲から隙間風が吹き込んだりするおそれがあった。
【０００４】
そこで従来より、戸パネルの「反り」を防止する技術が種々開発されており、その一例が特許文献１および２に開示されている。つまり、特許文献１には、「縦枠に形成された長溝内に断面略コ字型金具を配設した家具用扉」が開示されており、特許文献２には、「框芯材の内部に有穴金属板を内蔵した木質系扉」が開示されている。
【特許文献１】特開平５−１４９１号
【特許文献２】特開平９−１３８１８号
【特許文献３】特開平９−２０３２７８号
【発明の開示】
【発明が解決しようとする課題】
【０００５】
従来技術（特許文献１，２）によれば、断面略コ字型金具または有穴金属板（以下、これらをまとめて「補強材」という。）によって家具用扉または木質系扉を補強しているため、「反り」の問題を解消できる。
【０００６】
しかし、補強材を挟んだ両側に配置された２つの部材をタッカーで接合する場合には、補強材を避けてタッカーを打ち込まなければならないため、補強材による「補強強度」とタッカーによる「接合強度」とを共に満足させることが困難であった。
【０００７】
つまり、「補強強度」を優先させる場合には、補強材の「厚み」を大きくする必要があるが、補強材の「厚み」を大きくしたのでは、略コ字状のタッカーがこれらを跨ぐことができなくなる。そのため、タッカーを使用できる箇所が極めて狭い範囲に限定されてしまい、「接合強度」を十分に得られなくなってしまう。一方、「接合強度」を優先させる場合には、補強材を跨ぐようにして略コ字状のタッカーを打ち込む必要があるが、そのためには補強材の「厚み」を小さくしなければならないため、「補強強度」が損なわれてしまう。
【０００８】
この問題を解決する手段として、補強材に予め「切り欠き」を形成しておき、この「切り欠き」を通してタッカーを打ち込むことが考えられるが（特許文献３参照）、この場合には、「切り欠き」の加工が面倒であるだけでなく、補強材の強度が「切り欠き」によって損なわれるため、特に８尺以上の長尺の戸パネルなどでは「反り」を十分に抑えられなくなるという問題があった。
【０００９】
それゆえに、本発明の主たる課題は、「加工の手間」の増大や「補強強度」の低下を招くことなく、タッカーによる「接合強度」を十分に確保できる、戸パネルを提供することである。
【課題を解決するための手段】
【００１０】
請求項１に記載した発明は、「少なくとも２本の縦枠材１８を横枠材２０で接合することによって構成された戸枠１２と、前記戸枠１２に接合された板状の表面材１６とを備える、戸パネル１０において、前記縦枠材１８における前記横枠材２０と対向する側面には、縦方向へ延びる断面略四角形の溝２２が形成されており、前記溝２２内には、前記溝２２の底面２２ａに取り付けられた帯板状の固定板部２４と、前記固定板部２４の幅方向両端部に連続して断面略円弧状に形成された側壁板部２６，（４２），４４，４８，５０とを有する棒状の補強材１４，３４，３６，３８，４０が収容されており、前記縦枠材１８と前記横枠材２０とは、前記戸枠１２の表面側または裏面側の少なくとも一方において前記補強材１４，３４，３６，３８，４０を跨ぐようにして打ち込まれたタッカー３２によって連結されていることを特徴とする、戸パネル１０」である。
【００１１】
本発明では、断面略円弧状の側壁板部２６，（４２），４４，４８，５０を有する棒状の補強材１４，３４，３６，３８，４０を用いているので、補強材１４，３４，３６，３８，４０の「厚み」を小さくしても、あらゆる方向に対して十分な「補強強度」を得ることができる。つまり、断面略円弧状の側壁板部２６，（４２），４４，４８，５０においては、断面略コ字状の側壁板部が有するような「角部分」が存在しないので、応力集中による「折れ」または「曲り」が生じることがなく、「補強強度」を損なうことなく補強材１４，３４，３６，３８，４０の「厚み」を小さくすることができる。したがって、縦枠材１８と横枠材２０とをタッカー３２で連結する際には、戸枠１２の表面側または裏面側の少なくとも一方において補強材１４，３４，３６，３８，４０を跨ぐようにしてタッカー３２を打ち込むことができ、タッカー３２による「接合強度」を十分に確保できる。
【００１２】
請求項２に記載した発明は、「少なくとも２本の縦枠材５８を横枠材６０で接合することによって構成された戸枠５６と、前記戸枠５６に接合された板状の表面材１６とを備える、戸パネル５４において、前記縦枠材５８は、複数の棒状の縦枠構成材５８ａ，５８ｂの側面どうしを接合することによって構成されており、互いに接合される２本の前記縦枠構成材５８ａ，５８ｂのいずれか一方における他方側の側面には、縦方向へ延びる断面略四角形の溝６２が形成されており、前記溝６２内には、前記溝６２の底面に取り付けられた帯板状の固定板部２４と、前記固定板部２４の幅方向両端部に連続して断面略円弧状に形成された側壁板部２６，（４２），４４，４８，５０とを有する棒状の補強材１４，３４，３６，３８，４０が収容されており、互いに接合される２本の前記縦枠構成材５８ａ，５８ｂは、前記戸枠５６の表面側または裏面側の少なくとも一方において前記補強材１４，３４，３６，３８，４０を跨ぐようにして打ち込まれたタッカー３２によって連結されていることを特徴とする、戸パネル５４」である。
【００１３】
本発明は、縦枠構成材５８ａ，５８ｂの側面に形成された溝６２内に補強材１４，３４，３６，３８，４０を収容するとともに、２本の縦枠構成材５８ａ，５８ｂをタッカー３２で連結するようにしたものであり、「補強材１４，３４，３６，３８，４０自体の構成」や「補強材１４，３４，３６，３８，４０とタッカー３２との位置関係」は、請求項１に記載した発明と同様である。
【発明の効果】
【００１４】
請求項１および２に記載した発明によれば、補強材１４，３４，３６，３８，４０による「補強強度」の低下を招くことなく、タッカー３２による「接合強度」を十分に確保できる。また、タッカー３２を通すための「切り欠き」（特許文献３参照）を補強材１４，３４，３６，３８，４０に形成する必要がないので、補強材１４，３４，３６，３８，４０の加工が容易であり、「加工の手間」の増大を招くことはない。
【発明を実施するための最良の形態】
【００１５】
図１は、本発明が適用された戸パネル１０を示す一部断面正面図であり、図２は、戸パネル１０を水平面において切断したときの断面を示す部分断面図であり、図３は、戸パネル１０に用いられる戸枠１２を示す部分斜視図である。
【００１６】
戸パネル１０（図１、２）は、住宅の部屋間や収納の開口部を開閉する「開き戸」、「折れ戸」または「引き戸」等において当該開口部を閉塞する板状部材であり、戸枠１２と、補強材１４と、戸枠１２の表裏両面に接合された板状の表面材１６とを備えている。
【００１７】
戸枠１２は、少なくとも２本（本実施例では２本）の縦枠材１８と少なくとも２本（本実施例では４本）の横枠材２０とを枠組みすることによって構成された枠状部材であり、戸枠１２が「芯」となって戸パネル１０の全体形状が保持されている。
【００１８】
縦枠材１８（図１〜３）は、戸枠１２の幅方向端部を構成する断面略四角形の棒状部材であり、縦枠材１８における横枠材２０と対向する側面すなわち戸枠１２の内側に位置する側面には、補強材１４を収容する溝２２が、縦方向すなわち長手方向へ延びて形成されている。
【００１９】
溝２２は、図２に示すように、断面略四角形の凹溝であり、溝２２の「幅」は「深さ」よりも十分に大きく設定されている。溝２２の長手方向端部は、図３に示すように、縦枠材１８の端面に開口されていてもよいし、縦枠材１８の端面より手前において閉塞されていてもよい（図示省略）。
【００２０】
なお、縦枠材１８の材質は、特に限定されるものではないが、加工が容易な点において、ＬＶＬ（平行合板）、合板、集成材または無垢材等の木質材を用いることが望ましい。
【００２１】
補強材１４は、金属（スチール、ステンレス、アルミニウム等）、合金またはプラスチック等からなる棒状部材であり、図２に示すように、溝２２の底面２２ａと平行に配置され、かつ、当該底面２２ａに取り付けられる帯板状の固定板部２４と、固定板部２４の幅方向両端部に連続して断面略円弧状に形成された側壁板部２６とを有している。側壁板部２６は、戸パネル１０の厚さ方向外側へ凸となる断面略Ｃ状に形成されており、２つの側壁板部２６の先端部間の間隔Ｄは、固定ねじ２８における頭部２８ａの直径ｄよりも大きく設定されている。そして、固定板部２４の幅方向中央部には、固定ねじ２８が挿通される貫通孔３０が形成されている。
【００２２】
なお、側壁板部２６が「ばね弾性」を有する場合には、側壁板部２６の「最大幅」すなわち補強材１４の「最大厚み」を、溝２２の深さよりも大きく設定することが望ましい。このように設定すると、補強材１４を「溝２２の底面２２ａ」および「横枠材２０の端面」の両方に当接させることができるので、溝２２内における補強材１４の「がたつき」を確実に防止することができる。
【００２３】
横枠材２０は、断面略四角形の棒状部材であり、戸パネル１０の厚さ方向における横枠材２０の「厚さ」は、縦枠材１８の「厚さ」と同じに設定されている。本実施例では、４本の横枠材２０が用いられており、そのうち２本の横枠材２０で戸枠１２の縦方向両端部が構成されており、残りの２本の横枠材２０で戸枠１２が補強されている。そして、各横枠材２０の一端が一方の縦枠材１８の側面に当接され、かつ、他端が他方の縦枠材１８の側面に当接されており、縦枠材１８と各横枠材２０とが戸枠１２の表面側または裏面側の少なくとも一方において補強材１４を跨ぐようにして打ち込まれたタッカー３２によって連結されている。
【００２４】
なお、縦枠材１８の材質は、特に限定されるものではないが、加工が容易な点において、ＬＶＬ（平行合板）、合板、集成材または無垢材等の木質材を用いることが望ましい。
【００２５】
タッカー３２は、図２および図３に示すように、縦枠材１８に打ち込まれるピン状の第１打込み部３２ａと、横枠材２０に打ち込まれるピン状の第２打込み部３２ｂと、第１打込み部３２ａと第２打込み部３２ｂとを連結する連結部３２ｃとによって略コ字状に形成されている。
【００２６】
表面材１６は、戸パネル１０の表裏両面を構成する板材であり、具体的には、合板、中密度繊維板または高密度繊維板等の木質材や、これらの表面に合成樹脂化粧シート、化粧紙または突板等を貼り付けたものなどが表面材１６として用いられる。
【００２７】
戸枠１２を組み立てる際には、縦枠材１８の側面に形成された溝２２内に補強材１４を収容し、補強材１４の固定板部２４に形成された貫通孔３０に固定ねじ２８を挿通し、この固定ねじ２８を溝２２の底面２２ａにねじ込んでいく。すると、固定ねじ２８の頭部２８ａが側壁板部２６の先端部間を通して固定板部２４の表面に係止され、当該頭部２８ａによって固定板部２４が溝２２の底面２２ａに固定される。
【００２８】
続いて、２本の縦枠材１８間に横枠材２０を配置し、横枠材２０の一端を一方の縦枠材１８の側面に当接させ、かつ、他端を他方の縦枠材１８の側面に当接させる。そして、縦枠材１８および横枠材２０のそれぞれに補強材１４を跨ぐようにしてタッカー３２を打ち込むことによって、これらを互いに連結する。なお、縦枠材１８と横枠材２０との接合を確実にするためには、これらの接合面に接着剤（酢酸ビニル系接着剤等）を塗布することが望ましい。
【００２９】
戸枠１２が完成すると、戸枠１２の表裏両面に表面材１６を接着剤または固定ねじ（図示省略）等を用いて接合する。なお、表面材１６を接合する前に、戸枠１２の内側空間に防音材または断熱材等を配設するようにしてもよい。
【００３０】
本実施例によれば、断面略円弧状の２つの側壁板部２６によって補強材１４の強度を高めることができるので、「補強強度」を確保しつつ、補強材１４の「厚み」を小さくすることができる。したがって、縦枠材１８と横枠材２０とをタッカー３２で連結する際には、戸枠１２の表面側または裏面側の少なくとも一方において補強材１４を跨ぐようにしてタッカー３２を打ち込むことができ、補強材１４による「補強強度」を損なうことなくタッカー３２による「接合強度」を十分に確保できる。
【００３１】
また、補強材１４においては、２つの側壁板部２６の先端部どうしが離間されており、これらの間から補強材１４の内側に接着剤（図示省略）を充填することができるので、補強材１４と横枠材２０とを接着剤を介して強固に一体化することができる。
【００３２】
なお、上述の補強材１４では、側壁板部２６が戸パネル１０の厚さ方向外側へ凸となる断面略Ｃ状に形成されており、かつ、２つの側壁板部２６の先端部間の間隔Ｄが固定ねじ２８における頭部２８ａの直径ｄよりも大きく設定されているが、側壁板部２６は断面略円弧状であればよく、その具体的構成は、図４，５，６，７に示す補強材３４，３６，３８，４０のように適宜変更されてもよい。
【００３３】
図４に示す補強材３４は、固定板部２４と、固定板部２４の幅方向両端部に連続して形成された円筒状の筒部４２とを有しており、筒部４２の一部が戸パネル１０の厚さ方向外側へ凸となる断面略円弧状の「側壁板部」となっている。そして、２つの筒部４２間の最短距離Ｄは、固定ねじ２８における頭部２８ａの直径ｄよりも大きく設定されている。したがって、固定板部２４に形成された貫通孔３０に固定ねじ２８を挿通し、この固定ねじ２８を溝２２の底面２２ａにねじ込むと、固定ねじ２８の頭部２８ａが２つの筒部４２の間において固定板部２４の表面に係止される。
【００３４】
図５に示す補強材３６は、固定板部２４と、固定板部２４の幅方向両端部に連続して断面略円弧状に形成された側壁板部４４とを有している。側壁板部４４は、戸パネル１０の厚さ方向外側へ凸となる断面略Ｃ状に形成されており、２つの側壁板部４４の先端部間の間隔Ｄは固定ねじ４６における頭部４６ａの直径ｄ１よりも小さく、かつ、ねじ部４６ｂの直径ｄ２よりも大きく設定されている。したがって、固定板部２４に形成された貫通孔３０に固定ねじ４６を挿通し、この固定ねじ４６を溝２２の底面２２ａにねじ込むと、固定ねじ４６の頭部４６ａが２つの側壁板部４４の先端部に係止される。
【００３５】
補強材３６では、２つの側壁板部４４の先端部に固定ねじ４６の頭部４６ａを係止させるため、適用可能な固定ねじ４６の種類に制限はなく、図５に示す「皿ねじ」を用いることができる。
【００３６】
図６に示す補強材３８は、図３に示す補強材１４を逆向きにした構成を有している。つまり、補強材３８は、溝２２の底面２２ａから離間して配置される固定板部２４と、固定板部２４の幅方向両端部に連続して断面略円弧状に形成された側壁板部４８とを有している。側壁板部４８は、戸パネル１０の厚さ方向外側へ凸となる断面略Ｃ状に形成されており、側壁板部４８の先端部が溝２２の底面２２ａに当接される。そして、固定板部２４には、固定ねじ２８が挿通される貫通孔３０が形成されている。
【００３７】
図７に示す補強材４０は、溝２２の底面２２ａから離間して配置される固定板部２４と、固定板部２４の幅方向両端部に連続して断面略円弧状に形成された側壁板部５０と、側壁板部５０の先端部どうしを連結する連結板部５２とを有している。側壁板部５０は、戸パネル１０の厚さ方向外側へ凸となる断面略Ｃ状に形成されており、固定板部２４および連結板部５２には、固定ねじ２８が挿通される貫通孔３０ａおよび３０ｂが形成されている。
【００３８】
補強材３６（図５）、３８（図６）および４０（図７）によれば、側壁板部４４（図５）または固定板部２４（図６、図７）を固定ねじ２８，４６の頭部２８ａ，４６ａで弾性変形させることができるので、その復元力を固定ねじ２８，４６に作用させることによって、固定ねじ２８，４６の緩みを防止することができる。
【００３９】
また、上述の実施例では、固定板部２４を溝２２の底面２２ａに固定ねじ２８，４６で取り付ける場合を示したが、固定板部２４に突起（図示省略）を設け、当該突起を溝２２の底面２２ａに食い込ませることによって取り付けるようにしてもよい。
【００４０】
図８は、本発明が適用された他の戸パネル５４を示す一部断面正面図であり、図９は、戸パネル５４を水平面において切断したときの断面を示す部分断面図であり、図１０は、戸パネル５４に用いられる戸枠５６を示す部分斜視図である。
【００４１】
戸パネル５４（図８、９）は、上述の戸パネル１０（図１、２）と同様に、住宅の部屋間や収納の開口部を開閉する「開き戸」、「折れ戸」または「引き戸」等において当該開口部を閉塞する板状部材であり、戸枠５６の構成において戸パネル１０とは相違しており、補強材１４および表面材１６の構成において戸パネル１０と共通している。
【００４２】
戸枠５６は、少なくとも２本（本実施例では２本）の縦枠材５８と少なくとも２本（本実施例では４本）の横枠材６０とを枠組みすることによって構成された枠状部材であり、戸枠５６によって戸パネル５４の全体形状が保持されている。
【００４３】
縦枠材５８は、戸パネル５４の幅方向端部を構成する棒状部材であり、複数（本実施例では２本）の縦枠構成材５８ａ，５８ｂの側面どうしを接合することによって構成されている。各縦枠構成材５８ａ，５８ｂは、断面略四角形の棒状部材であり、互いに接合される２本の縦枠構成材５８ａ，５８ｂのいずれか一方における他方側の側面には、縦方向へ延びる溝６２が形成されている。
【００４４】
溝６２は、図９に示すように、断面略四角形の凹溝であり、溝６２の「幅」は「深さ」よりも十分に大きく設定されている。溝６２の長手方向端部は、図１０に示すように、縦枠材５８の端面に開口されていてもよいし、縦枠材５８の端面より手前において閉塞されていてもよい（図示省略）。
【００４５】
なお、溝６２は、縦枠構成材５８ａ，５８ｂのいずれに形成してもよいが、戸枠５６の全体を効率よく補強するためには、図９に示すように、横枠材６０からの力を直接受ける内側の縦枠構成材５８ｂに溝６２を形成し、溝６２の底面６２ａに補強材１４をねじ止めすることが望ましい。また、戸パネル５４においても、補強材３４（図４），３６（図５），３８（図６），４０（図７）を使用できることは言うまでもない。
【図面の簡単な説明】
【００４６】
【図１】戸パネルを示す一部断面正面図
【図２】戸パネルを示す部分断面図
【図３】戸パネルを構成する戸枠を示す部分斜視図
【図４】補強材の変形例（筒部あり）を示す断面図
【図５】補強材の変形例（皿ねじ対応）を示す断面図
【図６】補強材の変形例（逆向き）を示す断面図
【図７】補強材の変形例（断面略長円形）を示す断面図
【図８】他の戸パネルを示す一部断面正面図
【図９】他の戸パネルを示す部分断面図
【図１０】他の戸パネルを構成する戸枠を示す部分斜視図
【符号の説明】
【００４７】
１０，５４…  戸パネル
１２，５６…  戸枠
１４，３４，３６，３８，４０…  補強材
１６…  表面材
１８，５８…  縦枠材
２０，６０…  横枠材
２２，６２…  溝
２４…  固定板部
２６，（４２），４４，４８，５０…  側壁板部
２８，４６…  固定ねじ
３０…  貫通孔
３２…  タッカー
５８ａ，５８ｂ…  縦枠構成材
【図１】
2009084780.tif 000003
【図２】
2009084780.tif 000004
【図３】
2009084780.tif 000005
【図４】
2009084780.tif 000006
【図５】
2009084780.tif 000007
【図６】
2009084780.tif 000008
【図７】
2009084780.tif 000009
【図８】
2009084780.tif 000010
【図９】
2009084780.tif 000011
【図１０】
2009084780.tif 000012